(57)【要約】      （修正有）【課題】携帯電話機から特定のサーバに簡単にアクセスし、情報を得ることを可能にする。【解決手段】携帯電話機２に対してデータの読み取り及びデータの書き込みを非接触で行う非接触リーダライタ１と、携帯電話機２との間で通信を行うリダイレクトサーバ３とを備える情報提供システムであって、非接触リーダライタ１は、サーバ３にアクセスするための第一のアドレス情報を記憶する記憶手段と、携帯電話機２を検知する検知手段と、携帯電話機２を検知した場合に、自己の固有情報が付加された第一のアドレス情報を携帯電話機２に送信する書込手段とを備える。サーバ３は、非接触リーダライタ１の固有情報と情報を提供する情報提供サーバ４にアクセスするための第二のアドレス情報とを対応付けて記憶する記憶手段を有する。携帯電話機２がサーバ３にアクセスしてきた場合には、第二のアドレス情報を取得し、この情報を携帯電話機２に返信する。【選択図】図３
2008210368.tif 000002
【特許請求の範囲】
【請求項１】
携帯機器からのデータの読み取り及び当該携帯機器へのデータの書き込みを非接触で行う非接触リーダライタであって、
所定のサーバにアクセスするためのアドレス情報を記憶するアドレス情報記憶手段と、
前記携帯機器を検知する検知手段と、
前記携帯機器を検知した場合に、自己の固有情報が付加された前記アドレス情報を前記携帯機器に送信する書込手段と、
を備えることを特徴とする非接触リーダライタ。
【請求項２】
請求項１に記載の非接触リーダライタにおいて、
前記携帯機器を検知した場合に、当該携帯機器の固有情報を当該携帯機器から読み取り、自己の固有情報が付加された前記アドレス情報に、前記携帯機器の固有情報を付加する付加手段と、を更に備え、
前記書込手段は、前記自己の固有情報及び前記携帯機器の固有情報が付加された前記アドレス情報を前記携帯機器に送信することを特徴とする非接触リーダライタ。
【請求項３】
請求項１又は２に記載の非接触リーダライタにおいて、
当該非接触リーダライタ固有の鍵データを記憶する鍵データ記憶手段と、
前記鍵データを用いて認証コードを生成する認証コード生成手段と、を更に備え、
前記書込手段は、前記携帯機器を検知した場合に、前記生成された認証コードが更に付加された前記アドレス情報を前記携帯機器に送信することを特徴とする非接触リーダライタ。
【請求項４】
携帯機器からのデータの読み取り及び当該携帯機器へのデータの書き込みを非接触で行う非接触リーダライタと、前記携帯機器との間で通信手段を介して通信を行うリダイレクトサーバと、を備える情報提供システムであって、
前記非接触リーダライタは、
前記リダイレクトサーバにアクセスするための第一のアドレス情報を記憶する第一アドレス情報記憶手段と、
前記携帯機器を検知する検知手段と、
前記携帯機器を検知した場合に、自己の固有情報が付加された前記第一のアドレス情報を前記携帯機器に送信する書込手段と、
を備え、
前記リダイレクトサーバは、
前記非接触リーダライタの前記固有情報と、所定の情報を提供する情報提供サーバにアクセスするための第二のアドレス情報と、を対応付けて記憶する第二アドレス情報記憶手段と、
前記携帯機器が前記第一のアドレス情報に基づきアクセスしてきた場合には、当該第一のアドレス情報に付加された前記非接触リーダライタの固有情報に対応する前記第二のアドレス情報を前記第二アドレス情報記憶手段から取得し、当該第二のアドレス情報を前記通信手段を介して携帯機器に返信する返信手段と、
を備えることを特徴とする情報提供システム。
【請求項５】
請求項４に記載の情報提供システムにおいて、
前記非接触リーダライタは、
当該非接触リーダライタ固有の鍵データを記憶する鍵データ記憶手段と、
前記鍵データを用いて第一の認証コードを生成する認証コード生成手段と、を更に備え、
前記書込手段は、前記携帯機器を検知した場合に、前記生成された第一の認証コードが更に付加された前記第一のアドレス情報を前記携帯機器に送信することを特徴とする情報提供システム。
【請求項６】
請求項５に記載の情報提供システムにおいて、
前記リダイレクトサーバは、
前記非接触リーダライタの前記固有情報と、当該非接触リーダライタ固有の鍵データと、を対応付けて記憶する鍵データ記憶手段と、
前記携帯機器が前記第一のアドレス情報に基づきアクセスしてきた場合には、当該第一のアドレス情報に付加された前記非接触リーダライタの固有情報に対応する前記鍵データを前記鍵データ記憶手段から取得し、当該取得した鍵データを用いて、当該第一のアドレス情報に付加された前記認証コードの認証処理を行う認証手段と、
を更に備え、
前記返信手段は、前記認証処理により認証できた場合に、当該第二のアドレス情報を前記通信手段を介して携帯機器に返信することを特徴とする情報提供システム。
【請求項７】
請求項６に記載の情報提供システムにおいて、
前記リダイレクトサーバは、
前記第二のアドレス情報と、前記情報提供サーバ固有の鍵データと、を対応付けて記憶する鍵データ記憶手段と、
前記第一のアドレス情報に付加された前記非接触リーダライタの固有情報に対応する前記第二のアドレス情報を前記第二のアドレス情報記憶手段から取得し、当該取得した前記第二のアドレス情報に対応する前記情報提供サーバ固有の鍵データを前記鍵データ記憶手段から取得し、当該取得した鍵データを用いて第二の認証コードを生成する認証コード生成手段と、
前記第二のアドレス情報に、前記生成された第二の認証コードを付加する付加手段と、
を更に備え、
前記返信手段は、前記第二の認証コードが付加された前記第二のアドレス情報を前記通信手段を介して携帯機器に返信することを特徴とする情報提供システム。
【請求項８】
請求項７に記載の情報提供システムにおいて、
前記リダイレクトサーバの付加手段は、前記第二のアドレス情報に、更に前記非接触リーダライタの固有情報及び前記携帯機器の固有情報を付加し、
前記返信手段は、前記第二の認証コード、前記非接触リーダライタの固有情報及び前記携帯機器の固有情報が付加された前記第二のアドレス情報を前記通信手段を介して携帯機器に返信することを特徴とする情報提供システム。
【請求項９】
請求項４に記載の情報提供システムにおいて、
前記リダイレクトサーバは、前記携帯機器が前記第一のアドレス情報に基づきアクセスしてきた日時を示す日時情報と、前記第一のアドレス情報に付加された前記非接触リーダライタの固有情報と、を対応付けてログ情報として記録するログ情報記録手段を更に備えることを特徴とする情報提供システム。
【請求項１０】
請求項４に記載の情報提供システムにおいて、
前記非接触リーダライタは、前記携帯機器を検知した場合に、当該携帯機器の固有情報を当該携帯機器から読み取り、自己の固有情報が付加された前記アドレス情報に、前記携帯機器の固有情報を付加する付加手段を更に備え、
前記書込手段は、前記自己の固有情報及び前記携帯機器の固有情報が付加された前記アドレス情報を前記携帯機器に送信することを特徴とする情報提供システム。
【請求項１１】
請求項１０に記載の情報提供システムにおいて、
前記リダイレクトサーバは、前記携帯機器が前記第一のアドレス情報に基づきアクセスしてきた日時を示す日時情報と、前記第一のアドレス情報に付加された前記非接触リーダライタの固有情報及び前記携帯機器の固有情報と、を対応付けてログ情報として記録するログ情報記録手段を更に備えることを特徴とする情報提供システム。
【請求項１２】
請求項１０に記載の情報提供システムにおいて、
前記リダイレクトサーバは、前記第二のアドレス情報に、前記非接触リーダライタの固有情報及び前記携帯機器の固有情報を付加する付加手段を更に備え、
前記返信手段は、前記非接触リーダライタの固有情報及び前記携帯機器の固有情報が付加された前記第二のアドレス情報を前記通信手段を介して携帯機器に返信することを特徴とする情報提供システム。
【請求項１３】
請求項４ないし１２の何れか一項に記載の情報提供システムにおいて、
前記非接触リーダライタの前記固有情報に対応付けられる前記第二のアドレス情報は、時間帯に応じて異なることを特徴とする情報提供システム。
【請求項１４】
請求項４に記載の情報提供システムに備えられるリダイレクトサーバであって、
前記第二アドレス情報記憶手段と、前記返信手段とを備えることを特徴とするリダイレクトサーバ。
【請求項１５】
コンピュータを、請求項１４に記載のリダイレクトサーバとして機能させることを特徴とするコンピュータプログラム。
【請求項１６】
携帯機器からのデータの読み取り及び当該携帯機器へのデータの書き込みを非接触で行う非接触リーダライタであって、
所定のサーバにアクセスするためのアドレス情報を記憶するアドレス情報記憶手段と、
当該非接触リーダライタ固有の鍵データを記憶する鍵データ記憶手段と、
前記鍵データを用いて認証コードを生成する認証コード生成手段と、
前記携帯機器を検知する検知手段と、
前記携帯機器を検知した場合に、前記生成された認証コードが付加された前記アドレス情報を前記携帯機器に送信する書込手段と、
を備えることを特徴とする非接触リーダライタ。
【請求項１７】
携帯機器からのデータの読み取り及び当該携帯機器へのデータの書き込みを非接触で行う非接触リーダライタと、前記携帯機器との間で通信手段を介して通信を行うリダイレクトサーバと、を備える情報提供システムであって、
前記非接触リーダライタは、
前記リダイレクトサーバにアクセスするための第一のアドレス情報を記憶する第一アドレス情報記憶手段と、
当該非接触リーダライタ固有の鍵データを記憶する鍵データ記憶手段と、
前記鍵データを用いて認証コードを生成する認証コード生成手段と、
前記携帯機器を検知する検知手段と、
前記携帯機器を検知した場合に、前記生成された認証コードが付加された前記第一のアドレス情報を前記携帯機器に送信する書込手段と、
を備え、
前記リダイレクトサーバは、
互いに異なる複数の鍵データと、夫々の鍵データに対応付けられた所定の情報を提供する情報提供サーバにアクセスするための互いに異なる第二のアドレス情報と、を対応付けて記憶する第二アドレス情報記憶手段と、
前記携帯機器が前記第一のアドレス情報に基づきアクセスしてきた場合には、前記第二アドレス情報記憶手段に記憶された鍵データを用いて、当該第一のアドレス情報に付加された前記認証コードの認証処理を行う認証手段と、
前記認証処理により認証できた鍵データに対応付けられた前記第二のアドレス情報を前記通信手段を介して携帯機器に返信する返信手段と、
を備えることを特徴とする情報提供システム。
【請求項１８】
携帯機器からのデータの読み取り及び当該携帯機器へのデータの書き込みを非接触で行う非接触リーダライタと、前記携帯機器と、当該携帯機器との間で通信手段を介して通信を行うリダイレクトサーバと、を用いてアドレス情報を前記携帯機器に提供するアドレス情報提供方法であって、
前記リダイレクトサーバにアクセスするための第一のアドレス情報を記憶している前記非接触リーダライタが、前記携帯機器を検知した場合に、自己の固有情報が付加された前記第一のアドレス情報を、前記携帯機器に送信する書込ステップと、
前記携帯機器が前記第一のアドレス情報に基づき前記リダイレクトサーバにアクセスするステップと、
前記非接触リーダライタの前記固有情報と、所定の情報を提供する情報提供サーバにアクセスするための第二のアドレス情報と、を対応付けて記憶している前記リダイレクトサーバが、前記携帯機器からのアクセスに応じて、前記第一のアドレス情報に付加された前記非接触リーダライタの固有情報に対応する前記第二のアドレス情報を取得し、当該第二のアドレス情報を前記通信手段を介して携帯機器に返信する返信ステップと、
を備えることを特徴とするアドレス情報提供方法。
【請求項１９】
請求項１８に記載のアドレス情報提供方法において、
前記非接触リーダライタが、前記携帯機器を検知した場合に、当該携帯機器の固有情報を当該携帯機器から読み取り、自己の固有情報が付加された前記アドレス情報に、前記携帯機器の固有情報を付加するステップを更に備え、
前記書込ステップにおいては、前記自己の固有情報及び前記携帯機器の固有情報が付加された前記アドレス情報を前記携帯機器に送信することを特徴とするアドレス情報提供方法。
【請求項２０】
請求項１９に記載のアドレス情報提供方法において、
前記リダイレクトサーバが、前記第二のアドレス情報に、前記非接触リーダライタの固有情報及び前記携帯機器の固有情報を付加するステップを更に備え、
前記返信ステップにおいては、前記非接触リーダライタの固有情報及び前記携帯機器の固有情報が付加された前記第二のアドレス情報を前記通信手段を介して携帯機器に返信することを特徴とするアドレス情報提供方法。
【請求項２１】
請求項１８に記載のアドレス情報提供方法において、
前記非接触リーダライタが、当該非接触リーダライタ固有の鍵データを用いて認証コードを生成する認証コード生成ステップを更に備え、
前記書込ステップにおいては、前記携帯機器を検知した場合に、前記生成された認証コードが更に付加された前記第一のアドレス情報を前記携帯機器に送信することを特徴とするアドレス情報提供方法。
【請求項２２】
請求項２１に記載の情報提供方法において、
前記非接触リーダライタの前記固有情報に対応付けて当該非接触リーダライタ固有の鍵データを予め記憶している前記リダイレクトサーバが、前記携帯機器からのアクセスに応じて、前記第一のアドレス情報に付加された前記非接触リーダライタの固有情報に対応する当該記憶された鍵データを用いて、当該第一のアドレス情報に付加された前記認証コードの認証処理を行う認証ステップを更に備え、
前記返信ステップにおいては、前記認証処理により認証できた場合に、当該第二のアドレス情報を前記通信手段を介して携帯機器に返信することを特徴とする情報提供方法。
【請求項２３】
携帯機器からのデータの読み取り及び当該携帯機器へのデータの書き込みを非接触で行う非接触リーダライタと、前記携帯機器との間で通信手段を介して通信を行うリダイレクトサーバと、を用いてアドレス情報を前記携帯機器に提供するアドレス情報提供方法であって、
前記リダイレクトサーバにアクセスするための第一のアドレス情報を記憶している前記非接触リーダライタが、前記携帯機器を検知した場合に、当該非接触リーダライタ固有の鍵データを用いて認証コードを生成し、当該生成された認証コードが付加された前記第一のアドレス情報を、前記携帯機器に送信する書込ステップと、
前記携帯機器が前記第一のアドレス情報に基づき前記リダイレクトサーバにアクセスするステップと、
互いに異なる複数の鍵データと、夫々の鍵データに対応付けられた所定の情報を提供する情報提供サーバにアクセスするための互いに異なる第二のアドレス情報と、を対応付けて記憶している前記リダイレクトサーバが、前記携帯機器からのアクセスに応じて、前記記憶された鍵データを用いて、当該第一のアドレス情報に付加された前記認証コードの認証処理を行う認証ステップと、
前記認証処理により認証できた鍵データに対応付けられた前記第二のアドレス情報を前記通信手段を介して携帯機器に返信する返信ステップと、
を備えることを特徴とするアドレス情報提供方法。
【発明の詳細な説明】
【技術分野】
【０００１】
本発明は、携帯電話機等の携帯機器からのデータの読み取り及び当該携帯機器へのデータの書き込みを非接触で行う非接触リーダライタと、前記携帯機器との間で通信手段を介して通信を行うリダイレクトサーバと、を備える情報提供システム等の技術分野に関する。
【背景技術】
【０００２】
近年、携帯電話機の普及に伴い、商品やサービスの情報を電子メールにて配信するといった情報提供システムが普及している。特に最近では、商品やサービスの情報の中でも利用者が特に興味を持った情報を選別して配信する種々の工夫がなされている。
【０００３】
例えば、特許文献１には、この種の情報提供システムとして、情報管理者は、予め利用者にＩＣ（Integrated Circuit）タグを配布しておき、商品やサービスのポスター等の広告媒体の背後にＩＣタグに記録されたＩＤ（IDentifier）を読み取るＩＣタグリーダを備えた端末を屋外や店舗内等に設置するという構成が開示されている。このような構成によれば、利用者は興味を持った商品やサービスのポスター等に自己が所有するＩＣタグを翳すことにより、背後に設置されたＩＣタグリーダによってＩＣタグのＩＤが読み取られ、ポスター等に告知された広告の詳細な情報や、当該詳細な情報を提供する情報提供サーバのＵＲＬ（Uniform Resource Locator）が、上記端末から利用者の携帯電話機に電子メールを通じて提供することができる。
【０００４】
また、別の例として、携帯電話機に搭載されたカメラにより、広告媒体に記述されたＱＲコード等を撮影することにより当該ＱＲコードに含まれる情報提供サーバのＵＲＬを当該携帯電話機に提供する方法も知られている。
【特許文献１】特開２００３−３０８２６７号公報
【発明の開示】
【発明が解決しようとする課題】
【０００５】
しかしながら、特許文献１のような技術では、利用者の電子メールアドレスを事前に登録（つまり、第三者に開示）しておく必要があるので好ましくなく、その上、パケット料金がかかるという問題がある。また、電子メールが利用者の携帯電話機に届くまで若干のタイムラグがあり、場合によっては遅延するという問題もある。
【０００６】
また、携帯電話機に搭載されたカメラによりＱＲコード等を撮影することにより情報提供サーバのＵＲＬを取得する方法では、利用者は携帯電話機の操作キーを複数回押下してカメラを起動させ、当該カメラの焦点をＱＲコードに合わせる等の操作が必要であり煩雑であるという問題がある。また、利用者が情報提供サーバのＵＲＬを手入力する方法もあるが、当該入力のために操作キーを複数回押下するのは大変である。
【０００７】
そこで、本発明は、このような問題等に鑑みてなされたものであり、電子メールアドレスを事前に登録する必要がなく、利用者の携帯電話機等の携帯機器から特定のサーバに簡単にアクセスし、利用者が必要な情報を迅速に得ることを可能とした非接触リーダライタ、情報提供システム、リダイレクトサーバ、及びアドレス情報提供方法等を提供することを課題とする。
【課題を解決するための手段】
【０００８】
上記課題を解決するために、請求項１に記載の発明は、携帯機器からのデータの読み取り及び当該携帯機器へのデータの書き込みを非接触で行う非接触リーダライタであって、所定のサーバにアクセスするためのアドレス情報を記憶するアドレス情報記憶手段と、前記携帯機器を検知する検知手段と、前記携帯機器を検知した場合に、自己の固有情報が付加された前記アドレス情報を前記携帯機器に送信する書込手段と、を備えることを特徴とする。
【０００９】
請求項２に記載の発明は、請求項１に記載の非接触リーダライタにおいて、前記携帯機器を検知した場合に、当該携帯機器の固有情報を当該携帯機器から読み取り、自己の固有情報が付加された前記アドレス情報に、前記携帯機器の固有情報を付加する付加手段と、を更に備え、前記書込手段は、前記自己の固有情報及び前記携帯機器の固有情報が付加された前記アドレス情報を前記携帯機器に送信することを特徴とする。
【００１０】
請求項３に記載の発明は、請求項１又は２に記載の非接触リーダライタにおいて、当該非接触リーダライタ固有の鍵データを記憶する鍵データ記憶手段と、前記鍵データを用いて認証コードを生成する認証コード生成手段と、を更に備え、前記書込手段は、前記携帯機器を検知した場合に、前記生成された認証コードが更に付加された前記アドレス情報を前記携帯機器に送信することを特徴とする。
【００１１】
請求項４に記載の発明は、携帯機器からのデータの読み取り及び当該携帯機器へのデータの書き込みを非接触で行う非接触リーダライタと、前記携帯機器との間で通信手段を介して通信を行うリダイレクトサーバと、を備える情報提供システムであって、前記非接触リーダライタは、前記リダイレクトサーバにアクセスするための第一のアドレス情報を記憶する第一アドレス情報記憶手段と、前記携帯機器を検知する検知手段と、前記携帯機器を検知した場合に、自己の固有情報が付加された前記第一のアドレス情報を前記携帯機器に送信する書込手段と、を備え、前記リダイレクトサーバは、前記非接触リーダライタの前記固有情報と、所定の情報を提供する情報提供サーバにアクセスするための第二のアドレス情報と、を対応付けて記憶する第二アドレス情報記憶手段と、前記携帯機器が前記第一のアドレス情報に基づきアクセスしてきた場合には、当該第一のアドレス情報に付加された前記非接触リーダライタの固有情報に対応する前記第二のアドレス情報を前記第二アドレス情報記憶手段から取得し、当該第二のアドレス情報を前記通信手段を介して携帯機器に返信する返信手段と、を備えることを特徴とする。
【００１２】
請求項５に記載の発明は、請求項４に記載の情報提供システムにおいて、前記非接触リーダライタは、当該非接触リーダライタ固有の鍵データを記憶する鍵データ記憶手段と、前記鍵データを用いて第一の認証コードを生成する認証コード生成手段と、を更に備え、前記書込手段は、前記携帯機器を検知した場合に、前記生成された第一の認証コードが更に付加された前記第一のアドレス情報を前記携帯機器に送信することを特徴とする。
【００１３】
請求項６に記載の発明は、請求項５に記載の情報提供システムにおいて、前記リダイレクトサーバは、前記非接触リーダライタの前記固有情報と、当該非接触リーダライタ固有の鍵データと、を対応付けて記憶する鍵データ記憶手段と、前記携帯機器が前記第一のアドレス情報に基づきアクセスしてきた場合には、当該第一のアドレス情報に付加された前記非接触リーダライタの固有情報に対応する前記鍵データを前記鍵データ記憶手段から取得し、当該取得した鍵データを用いて、当該第一のアドレス情報に付加された前記認証コードの認証処理を行う認証手段と、を更に備え、前記返信手段は、前記認証処理により認証できた場合に、当該第二のアドレス情報を前記通信手段を介して携帯機器に返信することを特徴とする。
【００１４】
請求項７に記載の発明は、請求項６に記載の情報提供システムにおいて、前記リダイレクトサーバは、前記第二のアドレス情報と、前記情報提供サーバ固有の鍵データと、を対応付けて記憶する鍵データ記憶手段と、前記第一のアドレス情報に付加された前記非接触リーダライタの固有情報に対応する前記第二のアドレス情報を前記第二のアドレス情報記憶手段から取得し、当該取得した前記第二のアドレス情報に対応する前記情報提供サーバ固有の鍵データを前記鍵データ記憶手段から取得し、当該取得した鍵データを用いて第二の認証コードを生成する認証コード生成手段と、前記第二のアドレス情報に、前記生成された第二の認証コードを付加する付加手段と、を更に備え、前記返信手段は、前記第二の認証コードが付加された前記第二のアドレス情報を前記通信手段を介して携帯機器に返信することを特徴とする。
【００１５】
請求項８に記載の発明は、請求項７に記載の情報提供システムにおいて、前記リダイレクトサーバの付加手段は、前記第二のアドレス情報に、更に前記非接触リーダライタの固有情報及び前記携帯機器の固有情報を付加し、前記返信手段は、前記第二の認証コード、前記非接触リーダライタの固有情報及び前記携帯機器の固有情報が付加された前記第二のアドレス情報を前記通信手段を介して携帯機器に返信することを特徴とする。
【００１６】
請求項９に記載の発明は、請求項４に記載の情報提供システムにおいて、前記リダイレクトサーバは、前記携帯機器が前記第一のアドレス情報に基づきアクセスしてきた日時を示す日時情報と、前記第一のアドレス情報に付加された前記非接触リーダライタの固有情報と、を対応付けてログ情報として記録するログ情報記録手段を更に備えることを特徴とする。
【００１７】
請求項１０に記載の発明は、請求項４に記載の情報提供システムにおいて、前記非接触リーダライタは、前記携帯機器を検知した場合に、当該携帯機器の固有情報を当該携帯機器から読み取り、自己の固有情報が付加された前記アドレス情報に、前記携帯機器の固有情報を付加する付加手段を更に備え、前記書込手段は、前記自己の固有情報及び前記携帯機器の固有情報が付加された前記アドレス情報を前記携帯機器に送信することを特徴とする。
【００１８】
請求項１１に記載の発明は、請求項１０に記載の情報提供システムにおいて、前記リダイレクトサーバは、前記携帯機器が前記第一のアドレス情報に基づきアクセスしてきた日時を示す日時情報と、前記第一のアドレス情報に付加された前記非接触リーダライタの固有情報及び前記携帯機器の固有情報と、を対応付けてログ情報として記録するログ情報記録手段を更に備えることを特徴とする。
【００１９】
請求項１２に記載の発明は、請求項１０に記載の情報提供システムにおいて、前記リダイレクトサーバは、前記第二のアドレス情報に、前記非接触リーダライタの固有情報及び前記携帯機器の固有情報を付加する付加手段を更に備え、前記返信手段は、前記非接触リーダライタの固有情報及び前記携帯機器の固有情報が付加された前記第二のアドレス情報を前記通信手段を介して携帯機器に返信することを特徴とする。
【００２０】
請求項１３に記載の発明は、請求項４ないし１２の何れか一項に記載の情報提供システムにおいて、前記非接触リーダライタの前記固有情報に対応付けられる前記第二のアドレス情報は、時間帯に応じて異なることを特徴とする。
【００２１】
請求項１４に記載の発明は、請求項４に記載の情報提供システムに備えられるリダイレクトサーバであって、前記第二アドレス情報記憶手段と、前記返信手段とを備えることを特徴とする。
【００２２】
請求項１５に記載の発明は、コンピュータを、請求項１４に記載のリダイレクトサーバとして機能させることを特徴とする。
【００２３】
請求項１６に記載の発明は、携帯機器からのデータの読み取り及び当該携帯機器へのデータの書き込みを非接触で行う非接触リーダライタであって、所定のサーバにアクセスするためのアドレス情報を記憶するアドレス情報記憶手段と、当該非接触リーダライタ固有の鍵データを記憶する鍵データ記憶手段と、前記鍵データを用いて認証コードを生成する認証コード生成手段と、前記携帯機器を検知する検知手段と、前記携帯機器を検知した場合に、前記生成された認証コードが付加された前記アドレス情報を前記携帯機器に送信する書込手段と、を備えることを特徴とする。
【００２４】
請求項１７に記載の発明は、携帯機器からのデータの読み取り及び当該携帯機器へのデータの書き込みを非接触で行う非接触リーダライタと、前記携帯機器との間で通信手段を介して通信を行うリダイレクトサーバと、を備える情報提供システムであって、前記非接触リーダライタは、前記リダイレクトサーバにアクセスするための第一のアドレス情報を記憶する第一アドレス情報記憶手段と、当該非接触リーダライタ固有の鍵データを記憶する鍵データ記憶手段と、前記鍵データを用いて認証コードを生成する認証コード生成手段と、前記携帯機器を検知する検知手段と、前記携帯機器を検知した場合に、前記生成された認証コードが付加された前記第一のアドレス情報を前記携帯機器に送信する書込手段と、を備え、前記リダイレクトサーバは、互いに異なる複数の鍵データと、夫々の鍵データに対応付けられた所定の情報を提供する情報提供サーバにアクセスするための互いに異なる第二のアドレス情報と、を対応付けて記憶する第二アドレス情報記憶手段と、前記携帯機器が前記第一のアドレス情報に基づきアクセスしてきた場合には、前記第二アドレス情報記憶手段に記憶された鍵データを用いて、当該第一のアドレス情報に付加された前記認証コードの認証処理を行う認証手段と、前記認証処理により認証できた鍵データに対応付けられた前記第二のアドレス情報を前記通信手段を介して携帯機器に返信する返信手段と、を備えることを特徴とする。
【００２５】
請求項１８に記載の発明は、携帯機器からのデータの読み取り及び当該携帯機器へのデータの書き込みを非接触で行う非接触リーダライタと、前記携帯機器と、当該携帯機器との間で通信手段を介して通信を行うリダイレクトサーバと、を用いてアドレス情報を前記携帯機器に提供するアドレス情報提供方法であって、前記リダイレクトサーバにアクセスするための第一のアドレス情報を記憶している前記非接触リーダライタが、前記携帯機器を検知した場合に、自己の固有情報が付加された前記第一のアドレス情報を、前記携帯機器に送信する書込ステップと、前記携帯機器が前記第一のアドレス情報に基づき前記リダイレクトサーバにアクセスするステップと、前記非接触リーダライタの前記固有情報と、所定の情報を提供する情報提供サーバにアクセスするための第二のアドレス情報と、を対応付けて記憶している前記リダイレクトサーバが、前記携帯機器からのアクセスに応じて、前記第一のアドレス情報に付加された前記非接触リーダライタの固有情報に対応する前記第二のアドレス情報を取得し、当該第二のアドレス情報を前記通信手段を介して携帯機器に返信する返信ステップと、を備えることを特徴とする。
【００２６】
請求項１９に記載の発明は、請求項１８に記載のアドレス情報提供方法において、前記非接触リーダライタが、前記携帯機器を検知した場合に、当該携帯機器の固有情報を当該携帯機器から読み取り、自己の固有情報が付加された前記アドレス情報に、前記携帯機器の固有情報を付加するステップを更に備え、前記書込ステップにおいては、前記自己の固有情報及び前記携帯機器の固有情報が付加された前記アドレス情報を前記携帯機器に送信することを特徴とする。
【００２７】
請求項２０に記載の発明は、請求項１９に記載のアドレス情報提供方法において、前記リダイレクトサーバが、前記第二のアドレス情報に、前記非接触リーダライタの固有情報及び前記携帯機器の固有情報を付加するステップを更に備え、前記返信ステップにおいては、前記非接触リーダライタの固有情報及び前記携帯機器の固有情報が付加された前記第二のアドレス情報を前記通信手段を介して携帯機器に返信することを特徴とする。
【００２８】
請求項２１に記載の発明は、請求項１８に記載のアドレス情報提供方法において、前記非接触リーダライタが、当該非接触リーダライタ固有の鍵データを用いて認証コードを生成する認証コード生成ステップを更に備え、前記書込ステップにおいては、前記携帯機器を検知した場合に、前記生成された認証コードが更に付加された前記第一のアドレス情報を前記携帯機器に送信することを特徴とする。
【００２９】
請求項２２に記載の発明は、請求項２１に記載の情報提供方法において、前記非接触リーダライタの前記固有情報に対応付けて当該非接触リーダライタ固有の鍵データを予め記憶している前記リダイレクトサーバが、前記携帯機器からのアクセスに応じて、前記第一のアドレス情報に付加された前記非接触リーダライタの固有情報に対応する当該記憶された鍵データを用いて、当該第一のアドレス情報に付加された前記認証コードの認証処理を行う認証ステップを更に備え、前記返信ステップにおいては、前記認証処理により認証できた場合に、当該第二のアドレス情報を前記通信手段を介して携帯機器に返信することを特徴とする。
【００３０】
請求項２３に記載の発明は、携帯機器からのデータの読み取り及び当該携帯機器へのデータの書き込みを非接触で行う非接触リーダライタと、前記携帯機器との間で通信手段を介して通信を行うリダイレクトサーバと、を用いてアドレス情報を前記携帯機器に提供するアドレス情報提供方法であって、前記リダイレクトサーバにアクセスするための第一のアドレス情報を記憶している前記非接触リーダライタが、前記携帯機器を検知した場合に、当該非接触リーダライタ固有の鍵データを用いて認証コードを生成し、当該生成された認証コードが付加された前記第一のアドレス情報を、前記携帯機器に送信する書込ステップと、前記携帯機器が前記第一のアドレス情報に基づき前記リダイレクトサーバにアクセスするステップと、互いに異なる複数の鍵データと、夫々の鍵データに対応付けられた所定の情報を提供する情報提供サーバにアクセスするための互いに異なる第二のアドレス情報と、を対応付けて記憶している前記リダイレクトサーバが、前記携帯機器からのアクセスに応じて、前記記憶された鍵データを用いて、当該第一のアドレス情報に付加された前記認証コードの認証処理を行う認証ステップと、前記認証処理により認証できた鍵データに対応付けられた前記第二のアドレス情報を前記通信手段を介して携帯機器に返信する返信ステップと、を備えることを特徴とする。
【発明の効果】
【００３１】
本発明によれば、非接触リーダライタが携帯機器を検知した場合に、自己の固有情報が付加された上記第一のアドレス情報を、当該携帯機器に送信し、当該携帯機器が、当該第一のアドレス情報に基づきリダイレクトサーバにアクセスし、当該リダイレクトサーバが、携帯機器からのアクセスに応じて、上記端末固番号に対応する上記第２のアドレス情報を取得し、当該第２のアドレス情報を携帯電機器に返信するように構成したので、電子メールアドレスの事前登録を必要とせずに、当該第２のアドレス情報に基づき携帯機器から情報提供サーバに簡単にアクセスし、利用者が必要な情報を迅速に得ることができる。また、リダイレクトサーバでリダイレクト先のアドレス情報 を管理することにより、非接触リーダライタ側で当該アドレス情報の設定等を省く（不要とする）ことができる。
【発明を実施するための最良の形態】
【００３２】
以下、本発明を実施するための最良の実施形態について、図面に基づいて説明する。
【００３３】
［１．情報提供システムの構成及び機能］
先ず、図１を参照して、本発明の一実施形態に係る情報提供システムの構成及び機能について説明する。
【００３４】
図１は、本実施形態に係る情報提供システムの概要構成例を示す図である。
【００３５】
図１に示すように、情報提供システムＳは、非接触リーダライタ１、携帯電話機２、リダイレクトサーバ３、及び情報提供サーバの一例としてのコンテンツサーバ４等を備えて構成されている。なお、通信手段の一例としてのネットワークＮＷは、インターネット、専用通信回線（例えば、ＣＡＴＶ（Community Antenna Television）回線）、移動体通信網（基地局等を含む）、及びゲートウェイ等により構築されている（通信プロトコルにＴＣＰ／ＩＰ（Transmission Control Protocol/Internet Protocol）等を採用）。
【００３６】
なお、図１の例では、非接触リーダライタ１及び携帯電話機２は、説明の便宜上、夫々一つずつ示されているが、非接触リーダライタ１は、商品やサービスの広告情報が提供される多数の場所（例えば、店舗内外、キャンペーン会場内、駅構内等）に設置されるようになっており、携帯電話機１は、利用者毎に多数存在する。また、コンテンツサーバ４も複数設置される。
【００３７】
［１−１．非接触リーダライタ１の構成及び機能］
非接触リーダライタ１は、アンテナ及び点灯パネル（携帯電話機２の利用者に当該非接触リーダライタ１を認知させるための複数の発光ダイオードが実装）１１、電子回路基板（本発明における検知手段、付加手段、書込手段、及び認証コード生成手段の一例としてのＣＰＵ，ＲＡＭ，本発明におけるアドレス情報記憶手段、第一のアドレス情報、及び鍵データ記憶手段の一例としてのＲＯＭ（各種データ（例えばアドレス情報）及び非接触リーダライタ１の動作を担うプログラムを予め記憶）等が実装）等から構成されたＲＦＩＤリーダライタである。この非接触リーダライタ１は、例えば非接触ＩＣカード技術である公知のFeliCa（登録商標）技術を採用しており、当該FeliCa技術を採用したＩＣチップ（以下、「非接触ＩＣチップ」という）及びアンテナが搭載された携帯機器からのデータの読み取り及び当該携帯機器へのデータの書き込みを非接触で行うことが可能になっている。なお、携帯機器としては、例えば、携帯電話機、ＰＤＡ、ポータブルプレイヤー等を適用可能であるが、本実施形態においては、携帯電話機２を適用する。
【００３８】
より具体的に、非接触リーダライタ１（ＣＰＵ）は、携帯電話機２が所定距離（例えば、10cm程度）内に近づくと当該携帯電話機（非接触ＩＣチップ）２をアンテナを介して検知（このとき、非接触リーダライタ１と携帯電話機（非接触ＩＣチップ）２との間で相互認証が行われる）し、当該非接触ＩＣチップに電波（例えば13.56MHz）を発信することで非接触ＩＣチップに電力を供給（電磁誘導による）し、キャリアの変調により当該非接触ＩＣチップ間でデータ通信を行うことにより、当該非接触ＩＣチップからのデータの読み取り及び当該非接触ＩＣチップへのデータの書き込みを非接触で行うことが可能になっている。また、このとき、非接触リーダライタ１は、携帯電話機２内の特定機能（例えば、ブラウザ機能）を起動させるコマンドを携帯電話機（非接触ＩＣチップ）２に送信するようになっている。
【００３９】
また、非接触リーダライタ１のＲＯＭには、携帯電話機２がリダイレクトサーバ３にアクセスするための第一のアドレス情報の一例としてのＵＲＬ（以下、「リダイレクトサーバＵＲＬ」という）（つまり、アクセス先）、及び当該非接触リーダライタ１の固有情報の一例としての端末固有番号（多数の場所の設置された非接触リーダライタ間で一意に付与される番号（アクセスポイント端末番号））が予め記憶されるようになっている。そして、非接触リーダライタ１は、携帯電話機２を検知した場合に、自己の端末固有番号が付加されたリダイレクトサーバＵＲＬ（例えば、「http://aa.bb.jp/redirect/?tid=123」）を上記コマンドと共に携帯電話機２に送信して上記非接触ＩＣチップに該ＵＲＬへのアクセスを促すようになっている。
【００４０】
ここで、予め端末固有番号が付加されたリダイレクトサーバＵＲＬ（例えば、「http://aa.bb.jp/redirect/?tid=123」）をＲＯＭに記憶しておいても良いし、端末固有番号（例えば、「123」）とリダイレクトサーバＵＲＬ（例えば、「http://aa.bb.jp/redirect/」）とを別々のメモリ領域記憶しておき、非接触リーダライタ１が携帯電話機２に送信する際に、プログラムを動作させるなどしてリダイレクトサーバＵＲＬに端末固有番号を付加するように構成しても良い。
【００４１】
また、非接触リーダライタ１は、携帯電話機２との間で相互認証の際に、当該携帯電話機２の固有情報の一例としての固有番号（例えば、当該携帯電話機２における非接触ＩＣチップ内に予め記憶された当該非接触ＩＣチップの固有番号が適用可能である、以下、これを「ＭＢ固有番号」という）を当該携帯電話機２から読み取るようになっている。そして、非接触リーダライタ１は、上記端末固有番号が付加されたリダイレクトサーバＵＲＬに、上記読み取られたＭＢ固有番号を付加し、当該リダイレクトサーバＵＲＬを携帯電話機２に送信して上記非接触ＩＣチップに該ＵＲＬへのアクセスを促すことも可能である。
【００４２】
［１−２．携帯電話機２の構成及び機能］
携帯電話機２は、アンテナ、スピーカ、マイク、操作キー２１、ディスプレイ２２、及び電子回路基板（ＣＰＵ，ＲＡＭ，ＲＯＭ（各種データ及び携帯電話機２の動作を担うプログラムを予め記憶）等が実装）により構成されている。
【００４３】
図２は、携帯電話機２内の機能ブロックの一例を示す概念図である。
【００４４】
図２に示すように、携帯電話機２は、一般的な通信制御機能（例えば、Ｗ−ＣＤＭＡ又はＣＤＭＡ２０００の通信方式による）、及びブラウザ機能（ＵＲＬを指定することで所定のサーバにアクセスして所定の情報の提供を受ける（例えば、http（Hyper Text Transfer Protocol）による））等を有している。なお、当該携帯電話機２におけるこれらの機能は公知であるため詳しい説明を省略する。
【００４５】
更に、携帯電話機２は、上述した非接触ＩＣチップ（当該携帯電話機２におけるＣＰＵと電気的に接続されている）及びアンテナを搭載し、非接触リーダライタ１との間でデータ通信を行うことが可能になっている（いわゆる、公知の「おサイフケータイ」（登録商標）の機能を有する）。
【００４６】
そして、非接触リーダライタ１からの「携帯電話機２内のブラウザ機能を起動させる」コマンド及びリダイレクトサーバＵＲＬを受け取った非接触ＩＣチップは、ミドルウェアを介して携帯電話機２内のブラウザをＣＰＵに起動させる。こうして、非接触リーダライタ１から取得されたリダイレクトサーバＵＲＬは、非接触ＩＣチップを介してＣＰＵに伝送されるようになっている。
【００４７】
これにより、携帯電話機２（ブラウザ）は、当該リダイレクトサーバＵＲＬを指定してネットワークＮＷを介してリダイレクトサーバ３にアクセスし、当該リダイレクトサーバ３から、例えばリダイレクト先のＵＲＬ（所定の情報を提供する情報提供サーバ（例えば、コンテンツサーバ４）にアクセスするための第二のアドレス情報の一例としてのＵＲＬ）の提供（返信）を受けることになる。かかるリダイレクト先のＵＲＬは、非接触リーダライタ１の端末固有番号に対応するものであり、当該非接触リーダライタ１の設置場所に応じたリダイレクト先である。これにより、携帯電話機２は、リダイレクト先のＵＲＬを指定してネットワークＮＷを介して例えばコンテンツサーバ４にアクセスし（リダイレクト）、当該コンテンツサーバ４から例えば広告情報の提供を受け、ディスプレイ上に表示したり、スピーカから音声出力することになる。
【００４８】
なお、以下の説明において、コンテンツサーバにアクセスするためのＵＲＬを、コンテンツサーバＵＲＬと称するものとする。
【００４９】
［１−３．リダイレクトサーバ３の構成及び機能］
リダイレクトサーバ３は、返信手段、付加手段、ログ情報記録手段、認証手段、及び認証コード生成手段の一例としてのＣＰＵ，ＲＡＭ，ＲＯＭ（各種データ及びリダイレクトサーバ３の動作を担うコンピュータプログラムを予め記憶）等から構成された制御装置、第二アドレス情報記憶手段、及び鍵データ記憶手段の一例としてのハードディスクドライブ等の記録装置、及びネットワークＮＷに接続するための通信装置等を備えたサーバコンピュータである。かかるリダイレクトサーバ３は、ＩＰアドレスが割り当てられ、ネットワークＮＷ（インターネット）に常時接続されている。
【００５０】
また、リダイレクトサーバ３の記録装置には、リダイレクト先管理データベース３１及びアクセスログデータベース３２が構築されている。
【００５１】
リダイレクト先管理データベース３１には、非接触リーダライタの端末固有番号と、リダイレクト先のＵＲＬ（例えば、コンテンツサーバＵＲＬ）と、が対応付けられて登録されるようになっている。このようなリダイレクト先のＵＲＬは、多数の場所に設置された非接触リーダライタ毎に設定することが可能である。これにより、システム管理者等は、非接触リーダライタが設置された多数の場所に応じた情報を提供するためのアクセス先を一括して管理することができ、必要に応じて変更することができる。
【００５２】
そして、リダイレクトサーバ３の制御装置は、携帯電話機２がリダイレクトサーバＵＲＬに基づきアクセスしてきた場合には、当該リダイレクトサーバＵＲＬに付加された非接触リーダライタの端末固有番号に対応するリダイレクト先のＵＲＬをリダイレクト先管理データベース３１から取得し、当該リダイレクト先のＵＲＬをネットワークＮＷを介して携帯電話機２に返信するようになっている。
【００５３】
また、リダイレクトサーバ３の制御装置は、携帯電話機２がリダイレクトサーバＵＲＬに基づきアクセスしてきた日時を示す日時情報と、当該リダイレクトサーバＵＲＬに付加された非接触リーダライタの端末固有番号（当該リダイレクトサーバＵＲＬにＭＢ固有番号が付加されている場合、当該ＭＢ固有番号も）と、を対応付けてログ情報としてアクセスログデータベース３２に登録（記録）するようになっている。これにより、システム管理者等は、当該ログ情報を参照し、いつどの場所の非接触リーダライタが利用されて携帯電話機２からアクセスがあったかを把握することができる。
【００５４】
なお、携帯電話機２からのリダイレクトサーバＵＲＬに端末固有番号及びＭＢ固有番号が付加されていた場合、リダイレクトサーバ３の制御装置は、当該端末固有番号に対応するリダイレクト先のＵＲＬに、当該端末固有番号及びＭＢ固有番号を付加（埋め込み）し、これをネットワークＮＷを介して携帯電話機２に返信するように構成しても良い。
【００５５】
［１−４．コンテンツサーバ４等の構成及び機能］
コンテンツサーバ４は、ＣＰＵ，ＲＡＭ，ＲＯＭ（各種データ及びコンテンツサーバ４の動作を担うコンピュータプログラムを予め記憶）等から構成された制御装置、ハードディスクドライブ等の記録装置、及びネットワークＮＷに接続するための通信装置等を備えたサーバコンピュータである。かかるコンテンツサーバ４は、ＩＰアドレスが割り当てられ、ネットワークＮＷ（インターネット）に常時接続されている。
【００５６】
また、コンテンツサーバ４の記録装置には、コンテンツデータベース４１及びアクセスログデータベース４２が構築されている。
【００５７】
コンテンツデータベース４１には、携帯電話機２に提供するための情報（例えば広告情報）が登録されている。広告情報としては、例えば、店舗やキャンペーン会場における商品の広告情報（この場合、上記非接触リーダライタ１は、例えば店舗やキャンペーン会場に設置）や、例えば店舗や駅構内に設置されたフリーペーパラックに備えられた紙マガジンに記載された広告情報（この場合、上記非接触リーダライタ１は、例えばフリーペーパラックに設置）等が挙げられる。
【００５８】
なお、情報提供サーバの例としては、コンテンツサーバ４に限られるものではなく、例えば後述するスタンプラリーサーバやダウンロードサーバ等を適用することができ、スタンプラリーサーバやダウンロードサーバの構成は、コンテンツサーバ４と同様である。
【００５９】
なお、以下の説明において、スタンプラリーサーバにアクセスするためのＵＲＬを、スタンプラリーサーバＵＲＬと称し、以下の説明において、ダウンロードサーバにアクセスするためのＵＲＬを、ダウンロードサーバＵＲＬと称するものとする。
【００６０】
また、本実施形態において、スタンプラリーサーバやダウンロードサーバアクセスにおいては、携帯電話機２からアクセスしてきた日時を示す日時情報と、上述した端末固有番号及びＭＢ固有番号と、を対応付けてログ情報としてアクセスログデータベース４２に登録（記録）されるようになっている。
【００６１】
［２．情報提供システムの動作］
次に、以上のように構成された情報提供システムＳにおける動作について、第１実施形態から第５実施形態に分けて説明する。
【００６２】
［２−１．第１実施形態］
先ず、図３及び図４を参照して、第１実施形態に係る情報提供システムＳの動作を説明する。
【００６３】
図３は、第１実施形態に係る情報提供システムＳの動作例を示す概念図であり、図４は、第１実施形態に係る情報提供システムＳにおける処理及び情報の流れ等を示すシーケンス図である。
【００６４】
なお、第１実施形態においては、図３に示すように、情報提供サーバとしてコンテンツサーバ４が適用され、アクセスログデータベース４２は用いられない。
【００６５】
図４において、携帯電話機２の利用者が非接触リーダライタ１における点灯パネル１１に携帯電話機２を近づける（翳す）と（例えば、当該点灯パネル１１上約10cmの位置）、非接触リーダライタ１は当該携帯電話機２を検知し（ステップＳ１）、相互認証を実行する（ステップＳ２）。
【００６６】
次いで、非接触リーダライタ１は、当該非接触リーダライタ１の端末固有番号が付加されたリダイレクトサーバＵＲＬを取得し（ステップＳ３）、上記コマンドと、当該リダイレクトサーバＵＲＬとを携帯電話機２に送信（ステップＳ４、図３に示す「(1)ＵＲＬ送信」）して上記非接触ＩＣチップに該ＵＲＬへのアクセスを促す。
【００６７】
ここで、リダイレクトサーバＵＲＬと、端末固有番号とが別々のメモリ領域記憶しておく構成では、非接触リーダライタ１がリダイレクトサーバＵＲＬ（図３の例では、「http://aa.bb.jp/redirect/」）に端末固有番号（図３の例では、「123」）を付加して、当該端末固有番号が付加されたリダイレクトサーバＵＲＬ（例えば、「http://aa.bb.jp/redirect/?tid=123」）を生成することになる（以降の第２〜５実施形態においても同様）。
【００６８】
こうして非接触リーダライタ１から、上記コマンド及びリダイレクトサーバＵＲＬが携帯電話機２に送信されると、当該携帯電話機２はブラウザを起動させ、ディスプレイ２２上に、図４に示すような画面５１を表示する。このような表示状態において、携帯電話機２の利用者が操作キー２１を操作し「はい」を選択し、操作キー２１に含まれる実行キーを押下すると、当該携帯電話機２（ブラウザ）は、上記リダイレクトサーバＵＲＬに基づきネットワークＮＷを介してリダイレクトサーバ３にアクセスする（ステップＳ５、図３に示す「(2)アクセス」）。
【００６９】
そして当該アクセスによりセッションが確立された後、リダイレクトサーバ３は、当該携帯電話機２がアクセスしてきた日時（図３の例では、年月日時）を示す日時情報と、当該リダイレクトサーバＵＲＬに付加された非接触リーダライタ１の端末固有番号（図３の例では、「123」）と、を対応付けてログ情報としてアクセスログデータベース３２に登録（記録）する（ステップＳ６、図３に示す「(3)ログ記録」）。
【００７０】
次いで、リダイレクトサーバ３は、上記リダイレクトサーバＵＲＬに付加された端末固有番号（図３の例では、「123」）に対応するコンテンツサーバＵＲＬ（図３の例では、「http://contents1.jp/m/」）をリダイレクト先管理データベース３１から取得し（ステップＳ７）、当該コンテンツサーバＵＲＬをネットワークＮＷを介して携帯電話機２に返信する（ステップＳ８、図３に示す「(4)ＵＲＬ返信」）。
【００７１】
こうしてリダイレクトサーバ３から返信されたコンテンツサーバＵＲＬが携帯電話機２により受信されると、当該携帯電話機２（ブラウザ）は、自動（つまり、利用者の操作を必要とせず）リダイレクト（ステップＳ９）処理により上記コンテンツサーバＵＲＬに基づきネットワークＮＷを介してコンテンツサーバ４にアクセスする（ステップＳ１０、図３に示す「(5)アクセス」）。
【００７２】
そして当該アクセスによりセッションが確立された後、コンテンツサーバ４は、例えば広告情報をコンテンツデータベース４１から取得し（ステップＳ１１）、当該情報をネットワークＮＷを介して携帯電話機２に提供（送信）する（ステップＳ１２、図３に示す「(6)情報提供」）。
【００７３】
こうしてコンテンツサーバ４から提供された広告情報が携帯電話機２により受信されると、当該広告情報は、図４に示すように、ディスプレイ２２における画面５２上に表示されることになる。
【００７４】
以上説明したように、上記第１実施形態によれば、非接触リーダライタ１が携帯電話機２を検知した場合に、自己の端末固有番号が付加されたリダイレクトサーバＵＲＬを携帯電話機２に送信し、携帯電話機２が当該リダイレクトサーバＵＲＬに基づきリダイレクトサーバ３にアクセスし、当該リダイレクトサーバ３が、携帯電話機２からのアクセスに応じて、リダイレクトサーバＵＲＬに付加された端末固番号に対応するコンテンツサーバＵＲＬを取得し、当該コンテンツサーバＵＲＬを携帯電話機２に返信するように構成したので、電子メールアドレスの事前登録を必要とせずに、当該コンテンツサーバＵＲＬに基づき携帯電話機２からコンテンツサーバ４に簡単に（利用者が操作キーを複数回押下することなく）アクセスし、利用者が必要な情報（例えば、広告情報）を迅速に（電子メールのように遅延するということがない）得ることができる。また、リダイレクトサーバ３でリダイレクト先のＵＲＬを管理することにより、非接触リーダライタ１側で当該ＵＲＬの設定等を省く（不要とする）ことができる。
【００７５】
また、非接触ＩＣチップが搭載された携帯電話機２であれば、特別なアプリケーションソフトをインストールすることなく、利用者が携帯電話機２を非接触リーダライタ１に近づけるだけで端末固有番号が付加されたリダイレクトサーバＵＲＬを携帯電話機２で簡単に取得し、更に、コンテンツサーバＵＲＬを携帯電話機２で簡単に取得することができる。
【００７６】
また、非接触リーダライタ１の設置場所に応じた情報を提供するコンテンツサーバのコンテンツサーバＵＲＬが変わらなければ非接触リーダライタ１に当該コンテンツサーバＵＲＬを記憶しておいても構わないが、本実施形態においては、多数の場所に設置される非接触リーダライタの設置場所毎に応じたコンテンツサーバのコンテンツサーバＵＲＬを、リダイレクトサーバ３のリダイレクト先管理データベース３１に登録して一括管理するように構成したので、システム管理者等は、コンテンツサーバＵＲＬが変更されるような場合であっても、迅速に対応することができる。
【００７７】
また、リダイレクトサーバ３は、当該携帯電話機２がアクセスしてきた日時を示す日時情報と、非接触リーダライタ１の端末固有番号と、を対応付けてログ情報としてアクセスログデータベース３２に登録（記録）するように構成したので、システム管理者等は、当該ログ情報により、どの場所に（更にはどの時間帯に）設置された非接触リーダライタが最も多くの利用者により携帯電話機２にて翳されたのか（どの場所に設置された非接触リーダライタが人気があるか）を集計して分析することができる。よって、システム管理者等は、当該分析結果に基づく有用な情報を例えば広告情報の提供者（店舗やメーカ等）等に提供することができる。
【００７８】
また、システム管理者等は、当該分析結果から非接触リーダライタの最適な設置場所を検討することができる。
【００７９】
なお、コンテンツサーバ４から携帯電話機２に提供される情報としては、広告情報に限定されるものではなく、例えば観光案内情報、クーポン（例えば商品割引チケット）データ、来店ポイントデータ等を提供するものであっても良い。
【００８０】
［２−２．第２実施形態］
次に、図５及び図６を参照して、第２実施形態に係る情報提供システムＳの動作を説明する。
【００８１】
図５は、第２実施形態に係る情報提供システムＳの動作例を示す概念図であり、図６は、第２実施形態に係る情報提供システムＳにおける処理及び情報の流れ等を示すシーケンス図である。
【００８２】
なお、第２実施形態においても、図５に示すように、情報提供サーバとしてコンテンツサーバ４が適用され、アクセスログデータベース４２は用いられない。
【００８３】
図６において、携帯電話機２の利用者が非接触リーダライタ１における点灯パネル１１に携帯電話機２を近づけると、第１実施形態と同様、非接触リーダライタ１は当該携帯電話機２を検知し（ステップＳ２１）、相互認証（非接触リーダライタ１により、携帯電話機２からＭＢ固有番号（図５の例では、「998877」）が読み取られる（図５に示す「(1)ＭＢ固有番号読み取り」））を実行する（ステップＳ２２）。
【００８４】
次いで、非接触リーダライタ１は、上述した端末固有番号が付加されたリダイレクトサーバＵＲＬを取得し、当該リダイレクトサーバＵＲＬに上記取得したＭＢ固有番号（図５の例では、「998877」）を付加し（ステップＳ２３）、上記コマンドと、上記端末固有番号及び当該ＭＢ固有番号が付加されたリダイレクトサーバＵＲＬ（図５の例では、「http://aa.bb.jp/redirect/?tid=123＆uid=998877」）とを携帯電話機２に送信（ステップＳ２４、図５に示す「(2)ＵＲＬ送信」）して上記非接触ＩＣチップに該ＵＲＬへのアクセスを促す。
【００８５】
こうして非接触リーダライタ１から、上記コマンド及びリダイレクトサーバＵＲＬが携帯電話機２に送信されると、当該携帯電話機２はブラウザを起動させ、ディスプレイ２２上に、図６に示すような画面５３を表示する。このような表示状態において、携帯電話機２の利用者が操作キー２１を操作し「はい」を選択し、操作キー２１に含まれる実行キーを押下すると、当該携帯電話機２（ブラウザ）は、上記リダイレクトサーバＵＲＬに基づきネットワークＮＷを介してリダイレクトサーバ３にアクセスする（ステップＳ２５、図５に示す「(3）アクセス」）。
【００８６】
そして当該アクセスによりセッションが確立された後、リダイレクトサーバ３は、当該携帯電話機２がアクセスしてきた日時（図５の例では、年月日時）を示す日時情報と、当該リダイレクトサーバＵＲＬに付加された端末固有番号（図５の例では、「123」）及びＭＢ固有情報（図５の例では、「998877」）と、を対応付けてログ情報としてアクセスログデータベース３２に登録（記録）する（ステップＳ２６、図５に示す「(4）ログ記録」）。
【００８７】
以降のステップＳ２７からＳ３２までの処理は、第１実施形態において説明した図４に示すステップＳ７からＳ１２までの処理と同様であるので重複する説明を省略する。
【００８８】
以上説明したように、上記第２実施形態によれば、上記第１実施形態と同様の効果を奏することに加え、リダイレクトサーバ３は、当該携帯電話機２がアクセスしてきた日時を示す日時情報と、非接触リーダライタ１の端末固有番号と、携帯電話機２のＭＢ固有番号と、を対応付けてログ情報としてアクセスログデータベース３２に登録（記録）するように構成したので、システム管理者等は、当該ログ情報により、どの場所に（更にはどの時間帯に）設置された非接触リーダライタが最も多くの利用者により携帯電話機２にて翳されたのか（どの場所に設置された非接触リーダライタが人気があるか）を集計して分析することができ、更に、どの利用者によりどの場所に設置された非接触リーダライタが携帯電話機２にて翳されたのかも分析することができる。よって、システム管理者等は、当該分析結果に基づくより有用な情報を例えば広告情報の提供者（店舗やメーカ等）等に提供することができる。
【００８９】
［２−３．第３実施形態］
次に、図７及び図８を参照して、第３実施形態に係る情報提供システムＳの動作を説明する。
【００９０】
図７は、第３実施形態に係る情報提供システムＳの動作例を示す概念図であり、図８は、第３実施形態に係る情報提供システムＳにおける処理及び情報の流れ等を示すシーケンス図である。
【００９１】
なお、第３実施形態においては、図７に示すように、情報提供サーバとしてスタンプラリーサーバ４ｘが適用され、アクセスログデータベース４２が用いられる。
【００９２】
この第３実施形態においては、例えば各地方の観光名所等の複数拠点又は博覧会等におけるアトラクション等の複数拠点に、非接触リーダライタが設置されており、携帯電話機２の利用者は、これらの各拠点を巡り非接触リーダライタに当該携帯電話機２を翳してスタンプをもらうようになっている。
【００９３】
図８において、携帯電話機２の利用者が、拠点２における非接触リーダライタ１における点灯パネル１１に携帯電話機２を近づけると、第２実施形態と同様、非接触リーダライタ１は当該携帯電話機２を検知し（ステップＳ４１）、相互認証（非接触リーダライタ１により、携帯電話機２からＭＢ固有番号（図７の例では、「998877」）が読み取られる（図７に示す「(1）ＭＢ固有番号読み取り」）を実行する（ステップＳ４２）。
【００９４】
なお、携帯電話機２の利用者は、拠点１における非接触リーダライタには携帯電話機２を既に翳しているものとする。
【００９５】
次いで、非接触リーダライタ１は、当該非接触リーダライタ１の端末固有番号（図７の例では、「222」）が付加されたリダイレクトサーバＵＲＬを取得し、当該リダイレクトサーバＵＲＬに上記取得したＭＢ固有番号（図７の例では、「998877」）を付加し（ステップＳ４３）、上記コマンドと、上記端末固有番号及び当該ＭＢ固有番号が付加されたリダイレクトサーバＵＲＬ（図７の例では、「http://aa.bb.jp/redirect/?tid=222＆uid=998877」）とを携帯電話機２に送信（ステップＳ４４、図７に示す「(2)ＵＲＬ送信」）して上記非接触ＩＣチップ該ＵＲＬへのアクセスを促す。
【００９６】
こうして非接触リーダライタ１から、上記コマンド及びリダイレクトサーバＵＲＬが携帯電話機２に送信されると、当該携帯電話機２はブラウザを起動させ、ディスプレイ２２上に、図８に示すような画面５５を表示する。このような表示状態において、携帯電話機２の利用者が操作キー２１を操作し「はい」を選択し、操作キー２１に含まれる実行キーを押下すると、当該携帯電話機２（ブラウザ）は、上記リダイレクトサーバＵＲＬに基づきネットワークＮＷを介してリダイレクトサーバ３にアクセスする（ステップＳ４５、図７に示す「(3)アクセス」）。
【００９７】
そして当該アクセスによりセッションが確立された後、リダイレクトサーバ３は、携帯電話機２からのリダイレクトサーバＵＲＬに付加された端末固有番号（図７の例では、「222」）に対応するスタンプラリーサーバＵＲＬ（図７の例では、「http://stampsvr.jp/?tid=<%TID%>&uid=<%UID%>」）をリダイレクト先管理データベース３１から取得し、当該スタンプラリーサーバＵＲＬの置換文字列（<%TID%>）を上記リダイレクトサーバＵＲＬに付加された端末固有番号に置換すると共に、当該スタンプラリーサーバＵＲＬの置換文字列（<%UID%>）を上記リダイレクトサーバＵＲＬに付加されたＭＢ固有番号に置換する（ステップＳ４６）。これにより、当該端末固有番号及びＭＢ固有番号がスタンプラリーサーバＵＲＬに付加されることになる。
【００９８】
次いで、リダイレクトサーバ３は、当該端末固有番号及びＭＢ固有番号が付加されたスタンプラリーサーバＵＲＬ（図７の例では、「http://stampsvr.jp/?tid=222&uid=998877」）をネットワークＮＷを介して携帯電話機２に返信する（ステップＳ４７、図７に示す「(5)ＵＲＬ返信」）。
【００９９】
なお、ここで、当該携帯電話機２がアクセスしてきた日時を示す日時情報と、当該リダイレクトサーバＵＲＬに付加された端末固有番号及びＭＢ固有情報と、を対応付けてログ情報としてアクセスログデータベース３２に登録（記録）するように構成しても良い。
【０１００】
こうしてリダイレクトサーバ３から返信されたスタンプラリーサーバＵＲＬが携帯電話機２により受信されると、当該携帯電話機２（ブラウザ）は、自動リダイレクト（ステップＳ４８）処理により上記スタンプラリーサーバＵＲＬ（図７の例では、「http://stampsvr.jp/?tid=222&uid=998877」）に基づきネットワークＮＷを介してスタンプラリーサーバ４ｘにアクセスする（ステップＳ４９、図７に示す「(6)アクセス」）。
【０１０１】
そして当該アクセスによりセッションが確立された後、スタンプラリーサーバ４ｘは、当該携帯電話機２がアクセスしてきた日時（図７の例では、年月日時）を示す日時情報と、当該スタンプラリーサーバＵＲＬに付加された端末固有番号（図７の例では、「222」）及びＭＢ固有情報（図７の例では、「998877」）と、を対応付けてログ情報としてアクセスログデータベース４２に登録（記録）する（ステップＳ５０、図７に示す「(7)ログ記録」）。
【０１０２】
次いで、スタンプラリーサーバ４ｘは、例えばスタンプ帳画面を構成するデータをコンテンツデータベース４１から取得し、上記アクセスログデータベース４２に登録された上記携帯電話機２のＭＢ固有番号に対応付けられた端末固有番号からスタンプを押す位置（つまり、スタンプ帳画面における位置）を特定し、当該スタンプを押す位置を示す情報及びスタンプ帳画面を構成するデータに基づき当該スタンプ帳画面データを生成し（ステップＳ５１）、当該スタンプ帳画面データをネットワークＮＷを介して携帯電話機２に提供（送信）する（ステップＳ５２、図７に示す「(8)スタンプ帳画面データ提供」）。
【０１０３】
こうしてスタンプラリーサーバ４ｘから提供されたスタンプ帳画面データが携帯電話機２により受信されると、図８に示すようなスタンプ帳画面５６がディスプレイ２２上に表示されることになる。図８に示す例では、アクセスログデータベース４２に登録された端末固有番号（図７の例では、「111」及び「222」）に対応して、拠点１及び２に対応するスタンプ表示エリア５６ａ及び５６ｂに「ＯＫスタンプ」が表示されている。
【０１０４】
以上説明したように、上記第３実施形態によれば、上記第１実施形態と同様の効果を奏することに加え、多くの拠点を廻るスタンプラリーを登録不要で簡単に実現することができ、利用者は自己が廻った拠点を携帯電話機２上で容易に確認するができる。
【０１０５】
また、スタンプラリーサーバ４ｘは、当該携帯電話機２がアクセスしてきた日時を示す日時情報と、非接触リーダライタ１の端末固有番号と、携帯電話機２のＭＢ固有番号と、を対応付けてログ情報としてアクセスログデータベース４２に登録（記録）するように構成したので、システム管理者等は、当該ログ情報により、どの拠点に（更にはどの時間帯に）設置された非接触リーダライタが最も多くの利用者により携帯電話機２にて翳されたのか（どの拠点が人気があるか）を集計して分析することができ、更に、どの利用者がどの拠点を訪れたかや、当該利用者の導線を分析することもできる。
【０１０６】
［２−４．第４実施形態］
次に、図９及び図１０を参照して、第４実施形態に係る情報提供システムＳの動作を説明する。
【０１０７】
図９は、第４実施形態に係る情報提供システムＳの動作例を示す概念図であり、図１０は、第４実施形態に係る情報提供システムＳにおける処理及び情報の流れ等を示すシーケンス図である。
【０１０８】
なお、第４実施形態においては、図９に示すように、情報提供サーバとしてダウンロードサーバ４ｙが適用され、アクセスログデータベース４２が用いられる。
【０１０９】
図１０において、携帯電話機２の利用者が、非接触リーダライタ１における点灯パネル１１に携帯電話機２を近づけると、第２実施形態と同様、非接触リーダライタ１は当該携帯電話機２を検知し（ステップＳ６１）、相互認証（非接触リーダライタ１により、携帯電話機２からＭＢ固有番号（図９の例では、「998877」）が読み取られる（図９に示す「(1)ＭＢ固有番号読み取り」）を実行する（ステップＳ６２）。
【０１１０】
次いで、非接触リーダライタ１は、当該非接触リーダライタ１の端末固有番号（図９の例では、「555」）が付加されたリダイレクトサーバＵＲＬを取得し、当該リダイレクトサーバＵＲＬに上記取得したＭＢ固有番号を付加し（ステップＳ６３）、上記コマンドと、上記端末固有番号及び当該ＭＢ固有番号が付加されたリダイレクトサーバＵＲＬ（図７の例では、「http://aa.bb.jp/redirect/?tid=555＆uid=998877」）とを携帯電話機２に送信（ステップＳ６４、図９に示す「(2）ＵＲＬ送信」）して上記非接触ＩＣチップに該ＵＲＬへのアクセスを促す。
【０１１１】
こうして非接触リーダライタ１から、上記コマンド及びリダイレクトサーバＵＲＬが携帯電話機２に送信されると、当該携帯電話機２はブラウザを起動させ、ディスプレイ２２上に、図１０に示すような画面５７を表示する。このような表示状態において、携帯電話機２の利用者が操作キー２１を操作し「はい」を選択し、操作キー２１に含まれる実行キーを押下すると、当該携帯電話機２（ブラウザ）は、上記リダイレクトサーバＵＲＬに基づきネットワークＮＷを介してリダイレクトサーバ３にアクセスする（ステップＳ６５、図９に示す「(3）アクセス」）。
【０１１２】
そして当該アクセスによりセッションが確立された後、リダイレクトサーバ３は、携帯電話機２からのリダイレクトサーバＵＲＬに付加された端末固有番号（図９の例では、「555」）に対応するダウンロードサーバＵＲＬ（図９の例では、「http://dlsvr1.jp/?tid=<%TID%>&uid=<%UID%>」）をリダイレクト先管理データベース３１から取得し、当該ダウンロードサーバＵＲＬの置換文字列（<%TID%>）を上記リダイレクトサーバＵＲＬに付加された端末固有番号に置換すると共に、当該ダウンロードサーバＵＲＬの置換文字列（<%UID%>）を上記リダイレクトサーバＵＲＬに付加されたＭＢ固有番号に置換する（ステップＳ６６）。これにより、当該端末固有番号及びＭＢ固有番号がダウンロードサーバＵＲＬに付加されることになる。
【０１１３】
次いで、リダイレクトサーバ３は、当該端末固有番号及びＭＢ固有番号が付加されたダウンロードサーバＵＲＬ（図９の例では、「http://dlsvr1.jp/?tid=555&uid=998877」）をネットワークＮＷを介して携帯電話機２に返信する（ステップＳ６７、図９に示す「(5）ＵＲＬ返信」）。
【０１１４】
なお、ここで、当該携帯電話機２がアクセスしてきた日時を示す日時情報と、当該リダイレクトサーバＵＲＬに付加された端末固有番号及びＭＢ固有情報と、を対応付けてログ情報としてアクセスログデータベース３２に登録（記録）するように構成しても良い。
【０１１５】
こうしてリダイレクトサーバ３から返信されたダウンロードサーバＵＲＬが携帯電話機２により受信されると、当該携帯電話機２（ブラウザ）は、自動リダイレクト（ステップＳ６８）処理により上記ダウンロードサーバＵＲＬ（図９の例では、「http://dlsvr1.jp/?tid=555&uid=998877」）に基づきネットワークＮＷを介してダウンロードサーバ４ｙにアクセスする（ステップＳ６９、図９に示す「(6）アクセス」）。
【０１１６】
そして当該アクセスによりセッションが確立された後、ダウンロードサーバ４ｙは、当該携帯電話機２がアクセスしてきた日時（図９の例では、年月日時）を示す日時情報と、当該ダウンロードサーバＵＲＬに付加された端末固有番号（図９の例では、「555」）及びＭＢ固有情報（図９の例では、「998877」）と、を対応付けてログ情報としてアクセスログデータベース４２に登録（記録）する（ステップＳ７０、図９に示す「(7）ログ記録」）。
【０１１７】
次いで、ダウンロードサーバ４ｙは、アクセスログデータベース４２に登録されたログ情報を参照し、同一の端末固有番号において上記携帯電話機２のＭＢ固有番号が２つ以上登録されているか否かを判断し、その判断結果に応じたダウンロード画面データ（つまり、ＭＢ固有番号が１つのみのときのダウンロード画面データ、又はＭＢ固有番号が２つ以上のときのダウンロード画面データ）をコンテンツデータベース４１から取得し（ステップＳ７１）、当該ダウンロード画面データをネットワークＮＷを介して携帯電話機２に提供（送信）する（ステップＳ７２、図９に示す「(8）ダウンロード画面データ提供」）。
【０１１８】
こうしてダウンロードサーバ４ｙから提供されたダウンロード画面データが携帯電話機２により受信されると、図１０に示すようなダウンロード画面５８がディスプレイ２２上に表示されることになる。ダウンロード画面５８では、アクセスログデータベース４２に同一の端末固有番号において上記携帯電話機２のＭＢ固有番号が２つ以上登録されているので、ダウンロードできない旨を表示している。一方、仮に、アクセスログデータベース４２に同一の端末固有番号において上記携帯電話機２のＭＢ固有番号が１つのみ登録されている場合、図１０に示すようなダウンロード画面５９がディスプレイ２２上に表示されることになり、利用者は、携帯電話機２における操作キー２１を操作して着信メロディの音声データをダウンロードすることができる。
【０１１９】
以上説明したように、上記第４実施形態によれば、上記第１実施形態と同様の効果を奏することに加え、システム管理者等は、著作権を有するコンテンツの管理が容易になる。例えば、システム管理者等は、着信メロディの音声データのダウンロード回数に応じた利用料金を著作権管理団体に支払う必要があるが、当該音声データを一度しかダウンロードできない仕組みを登録不要で簡単に実現することができ、より効率良く著作権を有するコンテンツを管理することができる。また、システム管理者等は、非接触リーダライタが設置された場所で一度しかもらえないコンテンツを配信することで、プレミアコンテンツとしての価値を高めることができる。また、利用者側にとっても事前登録不要で非接触リーダライタが設置された場所に関連したプレミアコンテンツを取得するこができる。
【０１２０】
なお、上記第１及び第２実施形態において、コンテンツサーバ４でも、当該携帯電話機２がアクセスしてきた日時を示す日時情報と、端末固有番号及びＭＢ固有情報と、を対応付けてログ情報としてアクセスログデータベース４２に登録（記録）するように構成しても良い。
【０１２１】
［２−５．第５実施形態］
次に、図１１及び図１２を参照して、第５実施形態に係る情報提供システムＳの動作を説明する。
【０１２２】
図１１は、第５実施形態に係る情報提供システムＳの動作例を示す概念図であり、図１２は、第５実施形態に係る情報提供システムＳにおける処理及び情報の流れ等を示すシーケンス図である。
【０１２３】
なお、第５実施形態においては、図１１に示すように、一例として、情報提供サーバとしてコンテンツサーバ４が適用されるが、スタンプラリーサーバやダウンロードサーバであっても良い。
【０１２４】
上述した第１〜第４実施形態においては、携帯電話機２によるアクセス先のＵＲＬ（例えば、リダイレクトサーバＵＲＬやコンテンツサーバＵＲＬなど）が、利用者により一旦知られてしまうと、当該利用者が携帯電話機２の操作キー２１を操作してアクセス先のＵＲＬを直接入力することにより当該携帯電話機２からアクセス先にアクセスできてしまう。このとき、アクセスされたサーバ側では、当該アクセスが、利用者が非接触リーダライタ１に当該携帯電話機２を近づける（翳す）ことによるアクセスなのか、利用者が携帯電話機２からアクセス先のＵＲＬを直接入力することによるアクセスなのか判らないという問題が生じる。
【０１２５】
この問題を解決するため、第５実施形態では、非接触リーダライタ１がリダイレクトサーバＵＲＬを携帯電話機２に送信する際に当該ダイレクトサーバＵＲＬに認証コードを付加し、その認証コードの認証処理をリダイレクトサーバ３が行うことで、上記アクセスが非接触リーダライタ１に携帯電話機２を近づけることによるアクセスであることを確認するように構成している。更に、リダイレクトサーバ３がリダイレクト先のＵＲＬを携帯電話機２に返信する際に当該リダイレクト先のＵＲＬに認証コードを付加し、その認証コードの認証処理を例えばコンテンツサーバ４が行うことで、上記アクセスが非接触リーダライタ１に携帯電話機２を近づけることによるアクセスであることを確認するように構成している。
【０１２６】
より具体的には、非接触リーダライタ１のＲＯＭには、リダイレクトサーバＵＲＬ及び端末固有番号に加えて、当該非接触リーダライタ１固有のアクセスポイント鍵（非接触リーダライタ固有の鍵データの一例）が予め記憶されるようになっており、非接触リーダライタ１は、例えば当該アクセスポイント鍵、端末固有番号、及びＭＢ固有番号（アクセスポイント鍵と端末固有番号だけでも構わない）を用いて認証コード（第一の認証コード、以下、「ＡＰＭＡＣ（Access Point Message Authentication code）」という）を生成し、当該ＡＰＭＡＣをリダイレクトサーバＵＲＬに付加し、当該ＡＰＭＡＣ、端末固有番号、及びＭＢ固有番号等が付加されたリダイレクトサーバＵＲＬを携帯電話機２に送信するようになっている。
【０１２７】
ここで、ＡＰＭＡＣを生成するための計算方法として、公知のＨＭＡＣ―ＳＨＡ１関数を用いることができる。この関数を利用した場合、ＡＰＭＡＣは次の（１）式で定義される。
【０１２８】
ＡＰＭＡＣ＝ＨＭＡＣ−ＳＨＡ１Apkey（ＴＩＤ＋ＵＩＤ）・・・（１）
ここで、「Apkey」は非接触リーダライタ１固有のアクセスポイント鍵を示し、「ＴＩＤ」は端末固有番号を示し、「ＵＩＤ」はＭＢ固有番号を示す。ＴＩＤ＝１２３、ＵＩＤ＝９９８８７７とすると、ＡＰＭＡＣ＝ＨＭＡＣ−ＳＨＡ１Apkey（１２３９９８８７７）となる。
【０１２９】
一方、リダイレクトサーバ３の記録装置には、アクセスログデータベース３２に加えて、リダイレクト先ＩＤ管理データベース３１ａと、アクセスポイント鍵管理データベース３３と、リダイレクト先ＵＲＬ・サービス鍵管理データベース３４とが構築されている。
【０１３０】
かかるリダイレクト先ＩＤ管理データベース３１ａには、様々な場所に設置された複数の非接触リーダライタ毎に、非接触リーダライタの端末固有番号と、リダイレクト先のサーバＩＤ（例えば、コンテンツサーバ４に固有のサーバＩＤ）と、が対応付けられて登録されるようになっている。また、アクセスポイント鍵管理データベース３３には、上記複数の非接触リーダライタ毎に、非接触リーダライタの端末固有番号と、当該非接触リーダライタ固有のアクセスポイント鍵と、が対応付けられて登録されるようになっている。また、リダイレクト先ＵＲＬ・サービス鍵管理データベース３４には、リダイレクト先のサーバＩＤと、リダイレクト先のＵＲＬ（例えば、コンテンツサーバＵＲＬ）と、コンテンツサーバ４固有のサービス鍵（情報提供サーバ固有の鍵データの一例）と、が対応付けられて登録されるようになっている（つまり、リダイレクト先のサーバＩＤ及びＵＲＬ毎に、サービス鍵が管理される）。
【０１３１】
リダイレクト先ＩＤ管理データベース３１ａ及びリダイレクト先ＵＲＬ・サービス鍵管理データベース３４により、非接触リーダライタの端末固有番号の夫々には、結果的に、リダイレクト先のＵＲＬ及びそのサービス鍵がリダイレクト先のサーバＩＤを介して対応付けられる。
【０１３２】
そして、リダイレクトサーバ３の制御装置は、携帯電話機２がリダイレクトサーバＵＲＬに基づきアクセスしてきた場合には、当該リダイレクトサーバＵＲＬに付加された端末固有番号に対応する非接触リーダライタ１固有のアクセスポイント鍵をアクセスポイント鍵管理データベース３３から取得し、当該取得したアクセスポイント鍵等を用いて、当該リダイレクトサーバＵＲＬに付加されたＡＰＭＡＣの認証処理を行うようになっている。かかる認証処理では、例えば、取得したアクセスポイント鍵と、リダイレクトサーバＵＲＬに付加された端末固有番号、及びＭＢ固有番号とが用いられて、非接触リーダライタ１と同様、上記（１）式によりＡＰＭＡＣが生成され、当該生成されたＡＰＭＡＣの値と、リダイレクトサーバＵＲＬに付加されたＡＰＭＡＣの値とが一致しているか否かが判別され、一致している場合には認証できた（認証ＯＫ）と決定される。
【０１３３】
このように認証できた場合にはじめて、リダイレクトサーバ３の制御装置は、上記非接触リーダライタ１の端末固有番号に対応する（リダイレクト先のサーバＩＤにより対応付けられた）リダイレクト先のＵＲＬをリダイレクト先管理データベース３４から取得し、当該リダイレクト先のＵＲＬをネットワークＮＷを介して携帯電話機２に返信することになる。このとき、リダイレクトサーバ３の制御装置は、リダイレクトサーバＵＲＬに付加された非接触リーダライタ１の端末固有番号に対応するリダイレクト先のサーバＩＤをリダイレクト先ＩＤ管理データベース３１ａから取得し、当該取得したサーバＩＤ（言い換えれば、上記取得したリダイレクト先のＵＲＬ）に対応するコンテンツサーバ４固有のサービス鍵をリダイレクト先ＵＲＬ・サービス鍵管理データベース３４から取得し、当該取得したサービス鍵と、リダイレクトサーバＵＲＬに付加された端末固有番号、及びＭＢ固有番号（サービス鍵と端末固有番号だけでも構わない）とを用いて認証コード（第二の認証コード、以下、「ＳＭＡＣ（Service Message Authentication code）」という）を生成し、当該ＳＭＡＣを上記取得したリダイレクト先のＵＲＬに付加し、当該ＳＭＡＣ、端末固有番号、及びＭＢ固有番号等が付加されたリダイレクト先のＵＲＬ（例えば、コンテンツサーバＵＲＬ）を携帯電話機２に返信するようになっている。
【０１３４】
ここで、ＳＭＡＣを生成するための計算方法として、ＡＰＭＡＣと同様、公知のＨＭＡＣ―ＳＨＡ１関数を用いることができる。この関数を利用した場合、ＳＭＡＣは次の（２）式で定義される。
【０１３５】
ＳＭＡＣ＝ＨＭＡＣ−ＳＨＡ１Svkey（ＵＩＤ＋ＴＩＤ）・・・（２）
ここで、「Svkey」は情報提供サーバ固有のサービス鍵を示す。ＴＩＤ＝１２３、ＵＩＤ＝９９８８７７とすると、ＳＭＡＣ＝ＨＭＡＣ−ＳＨＡ１Svkey（９９８８７７１２３）となる。
【０１３６】
一方、コンテンツサーバ４の記録装置には、コンテンツデータベース４１及びアクセスログデータベース４２に加えて、サービス鍵管理データベース４３が構築されている。かかるサービス鍵管理データベース４３には、当該コンテンツサーバ４固有のサービス鍵が登録されるようになっている。
【０１３７】
そして、コンテンツサーバ４の制御装置は、携帯電話機２がコンテンツサーバＵＲＬに基づきアクセスしてきた場合には、当該コンテンツサーバ４固有のサービス鍵をサービス鍵管理データベース４３から取得し、当該取得したサービス鍵等を用いて、当該コンテンツサーバＵＲＬに付加されたＳＭＡＣの認証処理を行うようになっている。かかる認証処理では、例えば、取得したサービス鍵と、コンテンツサーバＵＲＬに付加された端末固有番号、及びＭＢ固有番号とが用いられて、リダイレクトサーバ３と同様、上記（２）式によりＳＭＡＣが生成され、当該生成されたＳＭＡＣの値と、コンテンツサーバＵＲＬに付加されたＳＭＡＣの値とが一致しているか否かが判別され、一致している場合には認証できた（認証ＯＫ）と決定される。このように認証できた場合にはじめて、コンテンツサーバ４の制御装置は、例えば広告情報を携帯電話機２に提供するようになっている。
【０１３８】
以下、第５実施形態における、より詳細な動作を説明する。
【０１３９】
図１２において、携帯電話機２の利用者が非接触リーダライタ１における点灯パネル１１に携帯電話機２を近づけると、第１実施形態と同様、非接触リーダライタ１は当該携帯電話機２を検知し（ステップＳ８１）、相互認証（非接触リーダライタ１により、携帯電話機２からＭＢ固有番号（図１１の例では、「998877」）が読み取られる（図１１に示す「(1)ＭＢ固有番号読み取り」））を実行する（ステップＳ８２）。
【０１４０】
次いで、非接触リーダライタ１は、アクセスポイント鍵及び端末固有番号をＲＯＭから読み出し、当該アクセスポイント鍵及び端末固有番号並びに携帯電話機２から取得したＭＢ固有番号を用いて、上述したように、ＡＰＭＡＣを生成する（ステップＳ８３、図１１に示す「(2)ＡＰＭＡＣ生成」）。
【０１４１】
次いで、非接触リーダライタ１は、上述した端末固有番号が付加されたリダイレクトサーバＵＲＬを取得し、当該リダイレクトサーバＵＲＬに上記取得したＭＢ固有番号及び上記生成したＡＰＭＡＣを付加し（ステップＳ８４、図１１に示す「(3)ＡＰＭＡＣ等付加」）、上記コマンドと、上記端末固有番号、ＭＢ固有番号及びＡＰＭＡＣが付加されたリダイレクトサーバＵＲＬ（図１１の例では、「http://aa.bb.jp/redirect/?tid=123＆uid=998877＆apmac=d8fc65b4」）とを携帯電話機２に送信（ステップＳ８５、図１１に示す「(4)ＵＲＬ送信」）して上記非接触ＩＣチップに該ＵＲＬへのアクセスを促す。
【０１４２】
こうして非接触リーダライタ１から、上記コマンド及びリダイレクトサーバＵＲＬが携帯電話機２に送信されると、当該携帯電話機２はブラウザを起動させ、ディスプレイ２２上に、図１２に示すような画面６１を表示する。このような表示状態において、携帯電話機２の利用者が操作キー２１を操作し「はい」を選択し、操作キー２１に含まれる実行キーを押下すると、当該携帯電話機２（ブラウザ）は、上記リダイレクトサーバＵＲＬに基づきネットワークＮＷを介してリダイレクトサーバ３にアクセスする（ステップＳ８６、図１１に示す「(5)アクセス」）。
【０１４３】
そして当該アクセスによりセッションが確立された後、リダイレクトサーバ３は、当該リダイレクトサーバＵＲＬに付加された端末固有番号に対応する非接触リーダライタ１固有のアクセスポイント鍵（Apkey1）をアクセスポイント鍵管理データベース３３から取得し、当該取得したアクセスポイント鍵等を用いて、上述したように、当該リダイレクトサーバＵＲＬに付加されたＡＰＭＡＣの認証処理を行う（ステップＳ８７、図１１に示す「(6)認証処理」）。
【０１４４】
そして、上記ＡＰＭＡＣの認証処理により認証できた（認証ＯＫ）場合、リダイレクトサーバ３は、リダイレクトサーバＵＲＬに付加された非接触リーダライタ１の端末固有番号に対応するリダイレクト先のＵＲＬ（例えば、コンテンツサーバＵＲＬ）をリダイレクト先ＵＲＬ・サービス鍵管理データベース３４から取得し、当該取得したリダイレクト先のＵＲＬに対応するコンテンツサーバ４固有のサービス鍵（Svkey1）をリダイレクト先ＵＲＬ・サービス鍵管理データベース３４から取得し、上述したように、当該取得したサービス鍵と、リダイレクトサーバＵＲＬに付加された端末固有番号、及びＭＢ固有番号とを用いて、ＳＭＡＣを生成する（ステップＳ８８、図１１に示す「(7)ＳＭＡＣ生成」）。
【０１４５】
なお、上記ＡＰＭＡＣの認証処理により認証できた（認証ＯＫ）場合、リダイレクトサーバ３は、当該携帯電話機２がアクセスしてきた日時を示す日時情報と、当該リダイレクトサーバＵＲＬに付加された非接触リーダライタ１の端末固有番号と、ＡＰＭＡＣと、を対応付けてログ情報としてアクセスログデータベース３２に登録（記録）するように構成しても良い。
【０１４６】
次いで、リダイレクトサーバ３は、上記取得したリダイレクト先のＵＲＬ（例えば、コンテンツサーバＵＲＬ）に上記端末固有番号、ＭＢ固有番号及び上記生成したＳＭＡＣを付加する（ステップＳ８９、図１１に示す「(8)ＳＭＡＣ等付加」）。
【０１４７】
次いで、リダイレクトサーバ３は、上記端末固有番号、ＭＢ固有番号及びＳＭＡＣ等が付加されたリダイレクト先のＵＲＬを携帯電話機２に返信する（ステップＳ９０、図１１に示す「(9)ＵＲＬ返信」）。
【０１４８】
こうしてリダイレクトサーバ３から返信されたリダイレクト先のＵＲＬが携帯電話機２により受信されると、当該携帯電話機２（ブラウザ）は、自動（つまり、利用者の操作を必要とせず）リダイレクト（ステップＳ９１）処理により上記リダイレクト先のＵＲＬに基づきネットワークＮＷを介してコンテンツサーバ４にアクセスする（ステップＳ９２、図１１に示す「(10)アクセス」）。
【０１４９】
そして当該アクセスによりセッションが確立された後、コンテンツサーバ４は、サービス鍵（Svkey1）をサービス鍵管理データベース４３から取得し、当該取得したサービス鍵等を用いて、上述したように、当該リダイレクト先のＵＲＬに付加されたＳＭＡＣの認証処理を行う（ステップＳ９３、図１１に示す「(11)認証処理」）。
【０１５０】
そして、上記ＳＭＡＣの認証処理により認証できた（認証ＯＫ）場合、コンテンツサーバ４は、例えば広告情報をコンテンツデータベース４１から取得し（ステップＳ９４）、当該情報をネットワークＮＷを介して携帯電話機２に提供（送信）する（ステップＳ９５、図１１に示す「(12)情報提供」）。
【０１５１】
なお、上記ＳＭＡＣの認証処理により認証できた（認証ＯＫ）場合、リダイレクトサーバ３は、当該携帯電話機２がアクセスしてきた日時を示す日時情報と、当該リダイレクト先のＵＲＬに付加された非接触リーダライタ１の端末固有番号と、ＳＭＡＣと、を対応付けてログ情報としてアクセスログデータベース４２に登録（記録）するように構成しても良い。
【０１５２】
以上説明したように、上記第５実施形態によれば、非接触リーダライタ１がリダイレクトサーバＵＲＬを携帯電話機２に送信する際に当該リダイレクトサーバＵＲＬにＡＰＭＡＣを付加し、そのＡＰＭＡＣの認証処理をリダイレクトサーバ３が行うことにより、上記アクセスが非接触リーダライタ１に携帯電話機２を近づけることによるアクセスであることを確認でき、リダイレクトサーバ３がリダイレクト先のＵＲＬを携帯電話機２に返信する際に当該リダイレクト先のＵＲＬにＳＭＡＣを付加し、そのＳＭＡＣの認証処理を例えばコンテンツサーバ４が行うことにより、上記アクセスが非接触リーダライタ１に携帯電話機２を近づけることによるアクセスであることを確認することができる。これにより、第５実施形態は、例えば、何拠点か携帯電話機２を非接触リーダライタ１に翳して回り最後の拠点でプレゼント応募サイトにアクセスできるようにしたケースや、会場に来たお客さんだけ、特別割引ショッピングサイトにアクセスできるようにしたケースに、より効果的である。
【０１５３】
しかも、リダイレクトサーバ３は、ダイレクトサーバＵＲＬに付加されたＡＰＭＡＣの認証後、当該ＡＰＭＡＣではなくＳＭＡＣを生成してこれをリダイレクト先のＵＲＬに付加するように構成した（２段階で認証コードを生成）ので、より効率的なシステム運用を図ることができる。すなわち、コンテンツデータ４（或いは、スタンプラリーサーバやダウンロードサーバ）を運用する事業者は、非接触リーダライタ１及びリダイレクトサーバ３を運用する事業者とは異なる場合があり、各コンテンツデータ４に対して、対応する非接触リーダライタ１固有のアクセスポイント鍵を記憶させておくことは難しいが、各コンテンツデータ４に当該コンテンツデータ４固有のサービス鍵を記憶させておくことは容易であるためである。ただし、ＳＭＡＣを生成せずにＡＰＭＡＣをリダイレクト先のＵＲＬに付加するように構成しても構わない。この場合、各コンテンツデータ４に対して、対応する非接触リーダライタ１固有のアクセスポイント鍵を記憶させておく必要がある。
【０１５４】
また、上記実施形態において、上記ＡＰＭＡＣは及びＳＭＡＣは、公知のＨＭＡＣ―ＳＨＡ１関数を用いて算出されるように構成したが、別の例として、非接触リーダライタ１が端末固有番号及びＭＢ固有番号（端末固有番号とＭＢ固有番号の何れか一方、或いはその他の情報でも構わない）をアクセスポイント鍵で暗号化してＡＰＭＡＣを生成し、リダイレクトサーバ３が当該ＡＰＭＡＣをアクセスポイント鍵で復号する（ＳＭＡＣの場合、リダイレクトサーバ３が端末固有番号及びＭＢ固有番号をサービス鍵で暗号化してＳＭＡＣを生成し、コンテンツサーバ４がＳＭＡＣをサービス鍵で復号）ことにより認証（復号できた場合認証ＯＫ）を行うように構成しても良い。この場合、リダイレクトサーバＵＲＬ（又はリダイレクト先のＵＲＬ）にはＡＰＭＡＣ（又はＳＭＡＣ）のみを付加（端末固有番号及びＭＢ固有番号を付加する必要はない）すれば良く、リダイレクトサーバ３側では登録されている複数のアクセスポイント鍵で例えば登録順に一つずつ使用し復号を試みて復号できた場合に、復号できた（認証できた）アクセスポイント鍵に対応する端末固有番号を特定し、当該端末固有番号に対応付けられたサービス鍵を取得してＳＭＡＣを生成し、当該端末固有番号に対応付けられたリダイレクト先のＵＲＬを取得して、当該生成したＳＭＡＣが付加されたリダイレクト先のＵＲＬを携帯電話機２に返信することになる。
【０１５５】
また、上記実施形態において、リダイレクトサーバ３が、携帯電話機２の製造番号と上記ＭＢ固有番号とを対応付けて登録する携帯電話機製造番号管理データベースを更に備えておき、携帯電話機２がリダイレクトサーバＵＲＬに基づきアクセスしてきた場合に、リダイレクトサーバ３は、そのとき取得できる当該携帯電話機２の製造番号と、当該リダイレクトサーバＵＲＬに付加された端末固有番号と、の対応付けを携帯電話機製造番号管理データベースを参照して確認し、対応付けが正しい場合にのみ、以降の処理（例えば、ステップＳ８７以降の処理）を実行するように構成すれば、例えば、ＡＰＭＡＣが付加されたリダイレクトサーバＵＲＬごと他の携帯電話機に転送された場合でも、不正なアクセスを検出することができる。
【図面の簡単な説明】
【０１５６】
【図１】本実施形態に係る情報提供システムの概要構成例を示す図である。
【図２】携帯電話機２内の機能ブロックの一例を示す概念図である。
【図３】第１実施形態に係る情報提供システムＳの動作例を示す概念図である。
【図４】第１実施形態に係る情報提供システムＳにおける処理及び情報の流れ等を示すシーケンス図である。
【図５】第２実施形態に係る情報提供システムＳの動作例を示す概念図である。
【図６】第２実施形態に係る情報提供システムＳにおける処理及び情報の流れ等を示すシーケンス図である。
【図７】第３実施形態に係る情報提供システムＳの動作例を示す概念図である。
【図８】第３実施形態に係る情報提供システムＳにおける処理及び情報の流れ等を示すシーケンス図である。
【図９】第４実施形態に係る情報提供システムＳの動作例を示す概念図である。
【図１０】第４実施形態に係る情報提供システムＳにおける処理及び情報の流れ等を示すシーケンス図である。
【図１１】第５実施形態に係る情報提供システムＳの動作例を示す概念図である。
【図１２】第５実施形態に係る情報提供システムＳにおける処理及び情報の流れ等を示すシーケンス図である。
【符号の説明】
【０１５７】
１  非接触リーダライタ
２  携帯電話機
３  リダイレクトサーバ
４  コンテンツサーバ
４ｘ  スタンプラリーサーバ
４ｙ  ダウンロードサーバ
３１  リダイレクト先管理データベース
３２  アクセスログデータベース
３３  アクセスポイント鍵管理データベース
４１  コンテンツデータベース
４２  アクセスログデータベース
４３  サービス鍵管理データベース
Ｓ  情報提供システム
ＮＷ  ネットワーク
【図１】
2008210368.tif 000003
【図２】
2008210368.tif 000004
【図３】
2008210368.tif 000005
【図４】
2008210368.tif 000006
【図５】
2008210368.tif 000007
【図６】
2008210368.tif 000008
【図７】
2008210368.tif 000009
【図８】
2008210368.tif 000010
【図９】
2008210368.tif 000011
【図１０】
2008210368.tif 000012
【図１１】
2008210368.tif 000013
【図１２】
2008210368.tif 000014